(57)【要約】【課題】複数の検出手段から画像形成制御手段に入力する信号及び画像形成制御手段から複数の駆動手段へ出力する駆動信号とを1つの信号線に載せて膨大となるデータ入出力線を削減する。【解決手段】識別制御手段３は期間信号線８に転送されている期間信号の入出力判定期間に複数の入出力手段の駆動手段４ａ〜４ｎに駆動信号を出力するかを判定し、期間信号の識別有効期間に識別信号線７に転送されている識別信号から複数の入出力手段のいずれか１つの入出力手段を識別し、期間信号のデータ有効期間にデータ線６に転送されるデータを識別した入出力手段のデータと特定して画像形成制御手段２に接続した１本のデータ線６で複数の入出力手段とのデータ転送を行う。【選択図】    図１
2008225405.tif 000002
【特許請求の範囲】
【請求項１】
装置全体の動作を制御する画像形成制御手段に対する複数の入出力手段として装置内の各種状態を検出する複数の検出手段とモータやソレノイドなどの複数のアクチュエータを駆動する複数の駆動手段とを有する画像形成装置において、
前記複数の入出力手段の近傍に設置され、前記画像形成制御手段と１本のデータ線と識別信号線及び期間信号線で接続された識別制御手段を有し、
前記データ線は、前記複数の入出力手段に対する入力信号と駆動信号のデータを個々に転送し、
前記識別信号線は、前記複数の入出力手段のいずれか１つの入出力手段を識別する識別信号を転送し、
前記期間信号線は、前記複数の入出力手段に対するデータの入出力を判定する入出力判定期間と前記識別信号線に出力される識別信号を有効とする識別有効期間及び前記データ線のデータを有効とするデータ有効期間を特定する期間信号を転送し、
前記識別制御手段は、前記期間信号線に転送されている期間信号の入出力判定期間に前記複数の入出力手段の前記駆動手段に駆動信号を出力するか前記検出手段からの検出信号を入力するかを判定し、前記期間信号の識別有効期間に前記識別信号線に転送されている識別信号から前記複数の入出力手段のいずれか１つの入出力手段を識別し、前記期間信号のデータ有効期間に前記データ線に転送されるデータを、識別した入出力手段のデータと特定することを特徴とする画像形成装置。
【請求項２】
前記識別信号線を複数有し、各識別信号線に識別信号として識別パルスを転送し、前記識別制御手段は転送された識別パルス数を計数してコード変換して前記複数の入出力手段のいずれか１つの入出力手段を識別する請求項１記載の画像形成装置。
【請求項３】
前記複数の入出力手段のなかで特定の入出力手段を識別するために前記識別信号線に転送する識別信号の識別パルス数を少なくして識別頻度を高くした請求項２記載の画像形成装置。
【請求項４】
前記特定の入出力手段を識別するために前記識別信号線に転送する識別信号をあらかじめ定めた一定回数繰り返して出力する請求項３記載の画像形成装置。
【請求項５】
前記特定の入出力手段を識別するために前記識別信号線に転送する識別信号をあらかじめ定めた一定周期で繰り返して出力する請求項３記載の画像形成装置。
【請求項６】
前記識別信号線に転送する識別信号の識別パルスを、画像形成工程の一連の動作順序に対応させて前記複数の入出力手段に順次付与し、
前記識別制御手段には画像形成工程の中で直前の識別パルス数を記憶させ、記憶した識別パルス数に前記識別信号線に転送された識別信号の識別パルスを加算して画像形成工程中の入出力手段を識別する請求項２記載の画像形成装置。
【発明の詳細な説明】
【技術分野】
【０００１】
この発明は、電子写真方式やインクジェット方式の複写装置やプリンタ装置等の画像形成装置、特にデータ信号線数の削減に関するものである。
【背景技術】
【０００２】
例えば電子写真方式の複写装置は、図１１に示すように、感光体に静電潜像を形成する感光体ユニット４１と、感光体に形成された静電潜像を現像して可視化する現像ユニット４２と、可視化した各色の画像を重ね合わす中間転写ユニット４３と、画像を転写する記録紙を収納して送り出す給紙カセット４４及び記録紙に転写された画像を定着する定着ユニット４５等の装置本体に対して着脱自在で交換可能な各種ユニットを有し、画像形成装置本体のＣＰＵを有する画像形成制御手段４０により駆動制御される。
【０００３】
この交換可能な各ユニットには装置本体との着脱状態を示す信号が各ユニットに対して設けられた検出手段からの入力信号として画像形成制御手段４０に入力される。また、画像形成制御手段４０の他の入力信号としては、装置内外の温湿度を検出するための温湿度センサ５１や画像形成時に駆動される接離機構ならびに記録媒体などの位置・状態情報を検出するための離接センサ５２と紙サイズセンサ５３及びトナー濃度検出センサ５４などの各種検出手段からの検出信号がある。この紙サイズ検出センサ５３や給紙カセット４４の装着部にある給紙カセットセンサなどは信号線が複数ビットにもなり、信号線数を大きく増大させる。また、高圧電源からのフィードバック信号等もある。
【０００４】
また、各ユニットにはモータやソレノイドやクラッチなどのアクチュエータが複数あり、それらを駆動する駆動手段へ駆動信号(データ信号)が画像形成制御手段４０から出力信号として出力される。
【０００５】
画像形成装置のカラー化や高性能・多機能化でにより各種検出手段からの入力信号やアクチュエータへの出力信号の信号線数は増大する傾向にある。また、各種検出手段やアクチュエータを使用するには、検出結果信号や駆動信号のほかに電源供給も必要となる。
【０００６】
これら多数の検出手段からの検出信号及び駆動手段への駆動信号を画像形成制御手段４０に入出力するために多数の信号線と電源線が必要であり、画像形成制御手段４０が大型化してしまう。また、画像形成制御手段４０は各ユニットや各種検出手段とは離れた位置に設置されるため、多数の信号線が装置内を這いまわり、装置の簡素化/小型化及び低コスト化に対する大きな障壁となっている。
【０００７】
このように信号線が多くなることを防止するため、特許文献１に示された画像形成装置は、各ユニットにＩ／Ｏエクスパンダを設け、画像形成制御手段はＩ／Ｏエクスパンダの入力ポートの状態によりユニットの種類を識別することにより、画像形成制御手段とユニットの接続信号線を少なくしている。
【０００８】
また、特許文献２に示された画像形成装置は、転送クロックがＬレベルのときに設定され、転送クロックの立ち上がり時に取り込まれる転送データを画像シリアルデータとし、転送クロックがＨレベルのときの転送データ立ち上がり信号を制御信号として画像シリアルデータと制御信号を共通のデータ信号線で転送するようにしている。
【特許文献１】特開２００２−２５８６９１号公報
【特許文献２】特開２００６−２１８６８２号公報
【発明の開示】
【発明が解決しようとする課題】
【０００９】
画像形成制御手段は画像を形成するにあたり、装置の多くの個所の状態や動作状態に応じて装置内の駆動手段やアクチュエータを細かく制御する必要がある。このように駆動手段やアクチュエータを細かく制御するためには、特許文献１に示すように、各種ユニットのＩ／Ｏエクスパンダの入力ポートの状態によりユニットの種類を識別して画像形成制御手段とユニットの接続信号線を少なくたり、特許文献２に示すように、画像シリアルデータと制御信号を共通のデータ信号線で転送するようにしても、画像形成制御手段に入力される信号線及び出力される信号線数は膨大となり、装置が複雑化して小型化が困難になっている。
【００１０】
また、画像形成装置のシステム構成すなわち入出力手段の数が変更となると、それに適した画像形成制御手段（ボード）の改造やコネクタ等の増設が必要であり、コスト高になってしまう。
【００１１】
この発明は、このような短所を改善し、複数の検出手段から画像形成制御手段に入力する信号及び画像形成制御手段から複数の駆動手段へ出力する駆動信号とを1つの信号線に載せて膨大となるデータ入出力線を削減するとともに画像形成システム構成が変更になった場合でも信号線数を増大させることなく対応できるように汎用性を持たせ、かつ、更なる高速性と割込み信号処理対応が可能な画像形成装置を提供することを目的とするものである。
【課題を解決するための手段】
【００１２】
この発明の画像形成装置は、装置全体の動作を制御する画像形成制御手段に対する複数の入出力手段として装置内の各種状態を検出する複数の検出手段とモータやソレノイドなどの複数のアクチュエータを駆動する複数の駆動手段とを有する画像形成装置において、
前記複数の入出力手段の近傍に設置され、前記画像形成制御手段と１本のデータ線と識別信号線及び期間信号線で接続された識別制御手段を有し、
前記データ線は、前記複数の入出力手段に対する入力信号と駆動信号のデータを個々に転送し、
前記識別信号線は、前記複数の入出力手段のいずれか１つの入出力手段を識別する識別信号を転送し、
前記期間信号線は、前記複数の入出力手段に対するデータの入出力を判定する入出力判定期間と前記識別信号線に出力される識別信号を有効とする識別有効期間及び前記データ線のデータを有効とするデータ有効期間を特定する期間信号を転送し、
前記識別制御手段は、前記期間信号線に転送されている期間信号の入出力判定期間に前記複数の入出力手段の前記駆動手段に駆動信号を出力するか前記検出手段からの検出信号を入力するかを判定し、期間信号の識別有効期間に識別信号線に転送されている識別信号から複数の入出力手段のいずれか１つの入出力手段を識別し、期間信号のデータ有効期間にデータ線に転送されるデータを識別した入出力手段のデータと特定することを特徴とする。
【００１３】
前記識別信号線を複数有し、各識別信号線に識別信号として識別パルスを転送し、前記識別制御手段は転送された識別パルス数を計数してコード変換して前記複数の入出力手段のいずれか１つの入出力手段を識別することが望ましい。
【００１４】
また、前記複数の入出力手段のなかで特定の入出力手段を識別するために識別信号線に転送する識別信号の識別パルス数を少なくして識別頻度を高くすると良い。
【００１５】
さらに、前記特定の入出力手段を識別するために識別信号線に転送する識別信号をあらかじめ定めた一定回数繰り返して出力したり、あらかじめ定めた一定周期で繰り返して出力すると良い。
【００１６】
また、前記識別信号線に転送する識別信号の識別パルスを、画像形成工程の一連の動作順序に対応させて前記複数の入出力手段に順次付与し、前記識別制御手段には画像形成工程の中で直前の識別パルス数を記憶させ、記憶した識別パルス数に前記識別信号線に転送された識別信号の識別パルスを加算して画像形成工程中の入出力手段を識別することが望ましい。
【発明の効果】
【００１７】
この発明は、期間信号線に転送されている期間信号の入出力判定期間に複数の入出力手段の駆動手段に駆動信号を出力するかを判定し、期間信号の識別有効期間に識別信号線に転送されている識別信号から複数の入出力手段のいずれか１つの入出力手段を識別し、期間信号のデータ有効期間にデータ線に転送されるデータを識別した入出力手段のデータと特定することにより、画像形成制御手段に接続した１本のデータ線で複数の入出力手段とのデータ転送を行うことができ、装置内のデータ線を低減するとともに画像形成制御手段を小型化することができる。
【００１８】
また、識別信号線を複数設け、各識別信号線に識別信号として識別パルスを転送し、転送された識別パルス数を計数してコード変換して複数の入出力手段のいずれか１つの入出力手段を識別することにより、入出力手段が増えた場合でも、短時間で該当する入出力手段を識別することができる。
【００１９】
また、複数の入出力手段のなかで特定の入出力手段を識別するために識別信号線に転送する識別信号の識別パルス数を少なくして識別頻度を高くすることにより、特定の入出力手段からの割込み処理に対して短時間で確実に対応することができる。
【００２０】
さらに、特定の入出力手段を識別するために識別信号線に転送する識別信号をあらかじめ定めた一定回数繰り返して出力したり、あらかじめ定めた一定周期で繰り返して出力することにより、特定の入出力手段からの割込み処理に対して確実に対応することができる。
【００２１】
また、識別信号線に転送する識別信号の識別パルスを、画像形成工程の一連の動作順序に対応させて複数の入出力手段に順次付与し、識別制御手段には画像形成工程の中で直前の識別パルス数を記憶させ、記憶した識別パルス数に識別信号線に転送された識別信号の識別パルスを加算して画像形成工程中の入出力手段を識別することにより、画像形成工程に必要な各入出力手段を短時間で呼び出すことができる。
【発明を実施するための最良の形態】
【００２２】
図１は、この発明の画像形成装置の構成を示すブロック図である。図に示すように、画像形成装置１は、装置全体の動作を制御する画像形成制御手段２と識別制御手段３及び入出力手段として複数の駆動手段４ａ〜４ｎと複数の検出手段５ａ〜５ｘを有する。駆動手段４ａ〜４ｎは、例えば静電方式で画像を形成する感光体ユニットや現像ユニット、中間転写ユニット、定着ユニット等の各種ユニット内のアクチュエータを駆動するために設けられている。検出手段５ａ〜５ｘは、各種ユニットの着脱状態や動作状態などを装置の各種状態を検出する。
【００２３】
識別制御手段３は、複数の駆動手段４ａ〜４ｎと検出手段５ａ〜５ｘの近傍に設置され、画像形成制御手段２と１本のデータ線６と識別信号線７及び期間信号線８で接続されている。この識別制御手段３は、図２のブロック図に示すように、コントローラ部３１と判定回路部３２とカウンタ部３３とデコーダ部３４及びデータ入出力部３５を有し、画像形成制御手段２から識別信号線７に出力される識別信号と期間信号線８に出力されて期間信号により駆動手段４ａ〜４ｎのいずれか１つを識別し、識別した駆動手段４に画像形成制御手段２からデータ線６に出力されるデータ信号を駆動信号９として出力するとともに検出手段５ａ〜５ｘから出力する２値データ又は複数ビットのシリアルデータの検出信号１０ａ〜１０ｘを入力して画像形成制御手段２から識別信号線７に出力される識別信号と期間信号線８に出力されて期間信号により検出手段５ａ〜５ｘ毎に識別してデータ線６を介して画像形成制御手段２に出力する。
【００２４】
期間信号線８には画像形成制御手段２から、図３のタイムチャートに示すように、期間信号としてパルスｐ１〜ｐ４が出力され、識別制御手段３のコントローラ部３１に入力する。この期間信号のパルスｐ１〜ｐ２間は駆動手段４に駆動信号を出力するか検出手段５の検出信号を入力するかのデータの入出力を判定する入出力判定期間であり、パルスｐ２〜ｐ３間は駆動手段４ａ〜４ｎと検出手段５ａ〜５ｘを識別するため識別信号線７に出力される識別信号を有効とする識別有効期間、パルスｐ３〜ｐ４間はデータ線６のデータ有効期間である。識別信号線７には識別信号として識別パルスが出力され、識別制御手段３の判定回路部３２とカウンタ部３２に入力する。この識別パルス数を計数して駆動手段４ａ〜４ｎと検出手段５ａ〜５ｘを識別する。例えば識別パルス数がｎのときは、駆動手段４ｎ又は検出手段５ｎのいずれかが識別され、入出力判定期間の判定結果によって、駆動手段４ｎ又は検出手段５ｎのどちらかを識別する。このように期間信号において入出力判定期間を識別有効期間の直前に設けることにより、識別信号の識別パルス数を検出手段５と駆動手段４で共用することができ、識別信号の識別パルス数を少なくして識別有効期間を短くできるとともに識別パルスを計数するカウンタ規模を小さくできる。
【００２５】
この期間信号ｐ１〜ｐ４までの間に生成される期間信号と識別信号及びデータ信号からなる一連の信号群をパケットということにする。また、対(ペア)として使用したい駆動手段４と検出手段５を同じ識別パルス数とすることにより、入出力手段の識別制御を効率良く行うことができる。すなわち、図３に示すように、ペアにした先のパケットＡで駆動手段４を識別駆動し、後のパケットＢで検出手段５を識別検出することにより、駆動手段４によって駆動変化した結果を識別信号の識別パルス数を変化させることなく確認することができる。例えば、駆動手段４でソレノイドやモータなどを駆動して接離機構を作動させ、その結果を接離機構部に設けた検出手段５の検出結果を求めることにより正しく駆動できたかを駆動直後に確認することができる。
【００２６】
ここで、駆動手段４や検出手段５を識別する場合の一例を図４に示す。識別信号が有効となる期間内に発生する識別信号のパルス数ｐｎをカウントすることにより識別制御手段３は駆動手段４ａ〜４ｎ又は検出手段５ａ〜５ｘのなかから、該当する入出力手段を識別する。例えば、識別信号の有効期間ａにおいて識別信号のパルス数がｐｎａであった場合、駆動手段４ａ又は検出手段５ａを識別選択し、識別信号の有効期間ｂにおいてパルス数がｐｎｂの場合は駆動手段４ｂ又は検出手段５ｂを選択するというように、あらかじめ識別制御手段３で識別信号のパルス数を駆動手段４と検出手段５に対応させておく。
【００２７】
識別制御手段３のコントローラ部３１は、画像形成制御手段２から期間信号線８に出力される期間信号のパルスｐ１〜ｐ４を入力して、図３に示すように、/Reset信号とDetect信号及び入出力期間信号を生成して判定回路部３２に出力するとともに/Reset信号とDetect信号をカウンタ部３３に出力する。判定回路部３２は入出力期間における識別信号線７の状態によってデータ線６上のデータを有効にするアウトプットイネーブル信号(Ｏ．Ｅ信号)を生成してデータの入出力を制御する。そしてペアにした先のパケットＡの入出力期間で識別信号線７に駆動パルスが生成された場合は、認識する入出力手段は駆動手段４となり、画像形成制御手段２からデータ線６に出力されたデータを識別された駆動手段４の駆動データとして出力する。また、後のパケットＢの入出力期間で識別信号線７に駆動パルスが生成されない場合は、認識する入出力手段は検出手段５となり、データ線６上のデータ有効期間のデータを検出信号として画像形成制御手段２が取り込む。
【００２８】
カウンタ部３３は、コントローラ部３１で生成された/Reset信号とDetect信号で定まる識別信号有効期間内に識別信号線７の識別データである識別パルス数を計数し、計数したカウント値をデコーダ部３４へ出力する。デコーダ部３４は、検出手段５ａ〜５ｘとデータ線１１ａ〜１１ｘでそれぞれ接続され、駆動手段４ａ〜４ｎとデータ線１２ａ〜１２ｎでそれぞれ接続され、入力したカウント値により１つの駆動手段４と検出手段５を識別選択し、データ有効期間にデータ線６から取り込んだデータをＯ．Ｅ信号によって識別選択した駆動手段４にデータ線１２を介して駆動信号９として出力し、識別選択した検出手段５からデータ線１１を介して出力されるデータ１０をＯ．Ｅ信号によってデータ線６に出力する。
【００２９】
この駆動手段４ａ〜４ｎにデータ線１２ａ〜１２ｎを介して出力する駆動信号９ａ〜９ｎのデータを有効とするタイミングを図５に示す。期間信号のパルスｐ３の立ち上がりエッジでデータ線６上のデータは有効となる。駆動タイミングに正確さが要求されない場合はデータが有効な期間であるパルスｐ３〜ｐ４の間にデータ線６上のデータをある一定のタイミングで取り込んで該当する駆動手段４に出力すれば良い。しかし駆動タイミングに厳密さが要求される場合は、駆動データが有効な期間であるパルスｐ３〜ｐ４の間に識別信号線７に所望のタイミングｔ０でパルスを送出し、そのパルスでデータ線６上のデータを該当する駆動手段４に出力する。このようにして駆動タイミングを微調整する。例えば、駆動信号「Ｈ」でＤＣモータが駆動開始したりあるいはソレノイドがオンする場合、データ線６上のデータを有効期間に「Ｈ」として、所望のタイミングでパルスを識別信号線７に送出する。そしてＤＣモータが駆動停止させたりあるいはソレノイドをオフする場合は、データ有効期間のデータを「L」として、上述のように所望のタイミングでパルスを生成する。
【００３０】
ここで、図４に示した入出力手段の識別方法の場合、入出力手段が増えると、識別パルス数も多くなり識別に要する時間が長くなってしまう。電子写真方式を使用した画像形成装置１では、入出力手段の数は200前後に達することもあり、1つの識別制御手段３で全ての入出力手段を識別する場合、識別期間内におよそ200パルスを生成することになる。また、識別のためのカウンタ部３３も大きくなる。そこで、図６に示すように、識別信号線７を２本にして２本の識別信号線７ａ，７ｂから送られる各識別信号７１，７２のパルス数をビット列(コード)に変換して識別ＩＤを算出し、算出した識別ＩＤで入出力手段を識別すれば良い。例えば、各識別信号線で16個のパルスが計数できれば、図７に示すように、最大256以下の入出力手段が16個のパルスで識別でき、識別期間を短くすることができる。ここで各識別信号のパルス数をビット列変換する際、識別信号７２を上位ビット列に識別信号７１を下位ビット列に割り当てる。このように割り当てると、識別信号７２と識別信号７１のパルス数が共に「０」のとき、変換コードは上位「0000」と下位「0000」となり、識別ＩＤが「０」の入出力手段を識別する。また、識別信号７２のパルス数が「３」、識別信号７１のパルス数が「１１」のとき、変換コードは上位「0011」、下位「1011」となり、識別ＩＤが「５９」の入出力手段を識別する。
【００３１】
前記画像形成装置は、識別制御手段３で駆動手段４ａ〜４ｎと検出手段５ａ〜５ｘの複数の入出力手段を識別することにより、画像形成制御手段２と識別制御手段３とが1つのデータ線６のみでデータの授受を行うことができるが、画像形成制御手段２が感光体ユニットや現像ユニット、中間転写ユニット、定着ユニット、給紙ユニット等の各種ユニットの駆動手段や各種ユニットの着脱状態や動作状態などを装置の各種状態を検出する検出手段とデータを授受するのは画像形成制御手段２が必要とする時刻においてのみである。画像形成動作のときに、画像形成制御手段２とデータを授受する入出力手段には、中間転写ユニットのベルトマーク検知信号や給紙ユニットの紙検知信号、エラー信号などの割込み信号を生成する特殊な検出手段５もある。この割込み信号を生成する特殊な検出手段５にも対応できるようにするため、特殊な検出手段５に識別信号として特別な識別ＩＤを、例えば「ｓ１」と付与し、図８（ａ）のタイムチャートに示すように、特殊な検出手段５の識別する頻度(呼び出し回数)を多くする。このようにして割込み信号を生成する特殊な検出手段５に対しても適切に対応することができる。
【００３２】
この割込み信号を生成する特殊な検出手段５には、ベルトマーク検知信号や紙検知信号などの割込み信号が発生する時刻があらかじめ想定できる検出手段と、エラー信号など発生する時刻が予期できない検出手段がある。そこであらかじめ予期できる検出手段に識別ＩＤとして例えば「ｓ２」を付与し、あらかじめ予期できない検出手段に識別ＩＤとして例えば「ｓ３」と異なる識別ＩＤを付与する。そして図８（ｂ）に示すように、識別ＩＤ「ｓ２」の検出手段に対しては、信号発生時刻のばらつきを考慮して、それが発生するであろうおおよその時刻ｔｗで複数回連続して呼び出しを行う。このようにしてあらかじめ予期できる検出手段の割込み処理を確実に行うことができる。また、識別ＩＤ「ｓ３」の検出手段に対しては、図８（ｃ）に示すように、信号が発生してから処理するまでに問題とならない周期ｔｃ(時間間隔)で呼び出しを行う。
【００３３】
この割込み信号を生成する特殊な検出手段５から迅速に割込み信号を取り込むため、割込み信号を生成する特殊な検出手段５に対しては識別ＩＤ「ｓ２」、「ｓ３」として少ない識別パルス数を優先的に割り当てると良い。すなわち、１つの入出力手段とのデータ授受には、期間信号線８が規定するデータの入出力を判定する入出力判定期間から識別信号線７に出力される識別信号を有効とする識別有効期間とデータ線６のデータを有効とするデータ有効有効期間まで時間を要する。この時間のなかで最も時間を要するのは、識別有効期間で識別パルスを発生し、この識別パルス数を計数する処理であり、この識別パルス数を少なくすることにより、より短時間で割込み信号を取り込むことができる。
【００３４】
また、画像形成装置１で画像形成を行う場合、各構成ユニットは所定の一連の動作を行う。この一連の動作の順序に対応させて、図９に示すように、駆動手段４ａ〜４ｎと検出手段５ａ〜５ｘに識別ＩＤを順次付与して信号を多重化し、識別制御手段３にカウンタ部３３で計数した直前の識別パルス数を記憶する機能を持たせると良い。この場合は、画像形成の一連の動作を行なっているとき、記憶した識別パルス数に１パルスを加えるだけで次の入出力手段を呼び出すことができ、識別信号として１パルスを生成すれば良いから、入出力手段の呼び出し時間が短縮することができる。この場合、ベルトマーク検知信号や紙検知信号などの割込み信号が予期できる検出手段５は、図１０の黒矢印で示すように、識別有効期間にパルスを含まないパケットを生成することにより、繰り返し呼び出しを行うことができる。
【００３５】
ここで識別制御手段３に直前の識別ＩＤを記憶する機能を持たせるには、図３に示す/Reset信号でパケット毎にカウンタ部３３をリセットするのを止め、Detect信号が「Ｈ」の期間のみ識別信号を計数するようにし、Detect信号が「Ｌ」の期間計数値を保持するようにすれば良い。但し、エラー信号など予期できない割込み信号を発生する入出力手段に対しては、信号多重化を用いるのではなく、この場合は、個別の入力信号として扱うようにする。
【図面の簡単な説明】
【００３６】
【図１】この発明の画像形成装置の構成を示すブロック図である。
【図２】識別制御手段の構成を示すブロック図である。
【図３】識別制御手段で処理する信号制御タイミングを示すタイムチャートである。
【図４】入出力手段を識別する識別信号の識別パルスを示すタイムチャートである。
【図５】駆動信号のデータを有効とするタイミングを示すタイムチャートである。
【図６】２本の識別信号線から送られる識別信号を示すタイムチャートである。
【図７】２つの識別信号から生成する識別ＩＤを示す図である。
【図８】割込み信号を生成する特殊な検出手段を呼び出すときの識別信号を示す図である。
【図９】画像形成の一連の動作順序に対応させて入出力手段に付与した識別ＩＤを示す図である。
【図１０】割込み信号が予期できる検出手段を呼び出すときの識別信号を示す図である。
【図１１】従来の画像形成装置の構成を示すブロック図である。
【符号の説明】
【００３７】
１；画像形成装置、２；画像形成制御手段、３；識別制御手段、４；駆動手段、
５；検出手段、６；データ線、７；識別信号線、８；期間信号線、
３１；コントローラ部、３２；判定回路部、３３；カウンタ部、３４；デコーダ部、
３５；データ入出力部。
【図１】
2008225405.tif 000003
【図２】
2008225405.tif 000004
【図３】
2008225405.tif 000005
【図４】
2008225405.tif 000006
【図５】
2008225405.tif 000007
【図６】
2008225405.tif 000008
【図７】
2008225405.tif 000009
【図８】
2008225405.tif 000010
【図９】
2008225405.tif 000011
【図１０】
2008225405.tif 000012
【図１１】
2008225405.tif 000013